(57)【要約】【課題】観察角度等を計測する専用の測定機器を使用することなく、観察対象の印刷物に対する観察角度の検証を容易に判定すること。【解決手段】所定の観察角度において所定の色で発色するように有色色材層と無色色材層とで構成される第１の検証画像と、観察角度にかかわらず所定の色を発色するように構成された有色色材層のみからなる第２の検証画像とが対となって記録媒体上に形成された検証チャートの画像データを生成する。【選択図】図４
2016019169.tif 000002
【特許請求の範囲】
【請求項１】
少なくとも２つの検証画像を有する検証チャートを作成するための画像処理装置であって、
所定の観察角度において所定の色で発色するように有色色材層と無色色材層とで構成される第１の検証画像と、観察角度にかかわらず所定の色を発色するように構成された有色色材層のみからなる第２の検証画像とが対となって記録媒体上に形成された検証チャートの画像データを生成するデータ作成手段を備え、
前記第２の検証画像における前記所定の色は、前記第１の検証画像における前記所定の色と略等色な色であることを特徴とする画像処理装置。
【請求項２】
前記データ作成手段は、所定の入力条件と前記第２の検証画像における前記所定の色とを対応付けしたデータをさらに備え、
前記データ作成手段は、前記第２の検証画像における前記所定の色を、前記データを用いて決定することを特徴とする請求項１記載の画像処理装置。
【請求項３】
前記所定の入力条件を入力する入力手段をさらに備えたことを特徴とする請求項２記載の画像処理装置。
【請求項４】
前記第１の検証画像の前記無色色材層は、光の干渉を発生する干渉発生層であることを特徴とする請求項１ないし３のいずれか１項に記載の画像処理装置。
【請求項５】
前記第１の検証画像の前記有色色材層は、黒色又は暗色であることを特徴とする請求項１ないし４のいずれかに記載の画像処理装置。
【請求項６】
前記第１の検証画像と前記第２の検証画像とからなる前記対の構成を、前記記録媒体上に複数設け、
前記各対を構成する第１の検証画像の無色色材層の色材条件は、対ごとに異なることを特徴とする請求項１ないし５のいずれかに記載の画像処理装置。
【請求項７】
前記略等色は、前記第１の検証画像からの干渉色と前記第２の検証画像からの発光色との色差が、Ｌａｂ色空間において、色差が３．２より小さい観察角度が存在するように設定されたことを特徴とする請求項１ないし６のいずれか１項に記載の画像処理装置。
【請求項８】
前記観察角度は、各検証画像の法線と照明方向とがなす角度、または、各検証画像の法線と観察者の視線方向とがなす角度から決定されることを特徴とする請求項１ないし７のいずれか１項に記載の画像処理装置。
【請求項９】
請求項１ないし８のいずれか１項に記載の画像処理装置と、
前記画像処理装置から出力される印刷データに基づき、少なくとも１対の前記第１及び前記第２の検証画像を所定の記録媒体上に印刷する印刷手段と
を備えたことを特徴とする画像形成装置。
【請求項１０】
少なくとも２つの検証画像を有する検証チャートを作成するための画像処理方法であって、
所定の観察角度において所定の色で発色するように有色色材層と無色色材層とで構成される第１の検証画像と、観察角度にかかわらず所定の色を発色するように構成された有色色材層のみからなる第２の検証画像とが対となって記録媒体上に形成された検証チャートの画像データを生成するデータ作成工程を含み、
前記第２の検証画像における前記所定の色は、前記第１の検証画像における前記所定の色と略等色な色である
ことを特徴とする画像処理方法。
【請求項１１】
コンピュータを、請求項１ないし９のいずれか１項に記載の画像処理装置として機能させるためのプログラム。
【発明の詳細な説明】
【技術分野】
【０００１】
本発明は、観察角度が予め指定された画像を該指定された観察角度にて観察するときの観察角度検証に用いられる、検証画像の作成処理に関する。
【背景技術】
【０００２】
光の干渉を利用して様々な光沢の色を表現する方法が知られている（特許文献１）。
【０００３】
特許文献１では、薄膜干渉という現象を利用して、光の干渉を発生させている。光沢の色は、干渉発生層の厚さを変えることで変化させることができる。
【０００４】
しかし、光沢色は、干渉発生層の厚さだけでなく、観察角度によっても変化する。
【０００５】
薄膜干渉以外にも光の干渉現象は発生する。特許文献２では、記録紙上にシリカなどの微粒子を含むインクを滴下し、凝集させて規則的な格子状の周期構造を形成し、光干渉を発生させる方法が開示されている。微粒子による干渉も、薄膜干渉と同様に、観察角度によって色が変化する。例えば、宝石のオパールは、規則的に並んだケイ酸塩の微粒子によって光が干渉し、見る角度によって様々な色彩がみられる。一般的に微細な構造によって光が干渉して見える色を構造色と呼ぶ。構造色の特徴として、見る角度に応じて、様々な色彩が見られることが挙げられる。
【０００６】
図１は、展示会場等において展示物を観察するときの従来における観察位置の調整方法を示す。展示会場１には、展示物としての印刷物２が設置される。この場合、観察角度θは、照明３、印刷物２、観察者４の視点の位置および観察方向によって決定される。一般に、ある観察角度θを想定して作成された印刷物２は、所定の観察角度θ以外の角度から観察された場合、作者の意図する発色表現とは異って見える。
【０００７】
その、印刷物２を展示する展示会場１では、予め指定された観察角度θになるように、照明３を方向Ｘに移動させたり、印刷物２を方向Ｙに回転させたり、観察者４が方向Ｚに観察位置を変えたりして、位置関係を調整する必要がある。
【先行技術文献】
【特許文献】
【０００８】
【特許文献１】特開２００９−１８４３２４号公報
【特許文献２】特開２００１−２３９６６１号公報
【発明の概要】
【発明が解決しようとする課題】
【０００９】
ところで、図１に示したような従来の調整方法においては、展示会場１内に観察角度等を計測する専用の測定機器を搬入しなければならないので、計測の一連の作業に手間がかかる。
【００１０】
そこで、本発明は、観察角度等を計測する専用の測定機器を使用することなく、観察対象の印刷物に対して観察角度が適しているかの、観察角度の検証を容易に判定できるようにすることを目的とする。
【課題を解決するための手段】
【００１１】
本発明は、少なくとも２つの検証画像を有する検証チャートを作成するための画像処理装置であって、所定の観察角度において所定の色で発色するように有色色材層と無色色材層とで構成される第１の検証画像と、観察角度にかかわらず所定の色を発色するように構成された有色色材層のみからなる第２の検証画像とが対となって記録媒体上に形成された検証チャートの画像データを生成するデータ作成手段を備え、前記第２の検証画像における前記所定の色は、前記第１の検証画像における前記所定の色と略等色な色であることを特徴とする画像処理装置を構成する。
【００１２】
前記データ作成手段は、所定の入力条件と前記第２の検証画像における前記所定の色とを対応付けしたデータをさらに備え、前記データ作成手段は、前記第２の検証画像における前記所定の色を、前記データを用いて決定することができる。
【００１３】
前記所定の入力条件を入力する入力手段をさらに備えてもよい。
【００１４】
前記第１の検証画像の前記無色色材層は、光の干渉を発生する干渉発生層とすることができる。
【００１５】
前記第１の検証画像の前記有色色材層は、黒色又は暗色とすることができる。
【００１６】
前記第１の検証画像と前記第２の検証画像とからなる前記対の構成を、前記記録媒体上に複数設け、前記各対を構成する第１の検証画像の無色色材層の色材条件は、対ごとに異なるようにすることができる。
【００１７】
前記略等色は、前記第１の検証画像からの干渉色と前記第２の検証画像からの発光色との色差が、Ｌａｂ色空間において、色差が３．２より小さい観察角度が存在するように設定することができる。
【００１８】
前記観察角度は、各検証画像の法線と照明方向とがなす角度、または、各検証画像の法線と観察者の視線方向とがなす角度から決定することができる。
【００１９】
本発明は、上記に記載の画像処理装置と、前記画像処理装置から出力される印刷データに基づき、少なくとも１対の前記第１及び前記第２の検証画像を所定の記録媒体上に印刷する印刷手段とを備えた画像形成装置を構成する。
【００２０】
本発明は、少なくとも２つの検証画像を有する検証チャートを作成するための画像処理方法であって、所定の観察角度において所定の色で発色するように有色色材層と無色色材層とで構成される第１の検証画像と、観察角度にかかわらず所定の色を発色するように構成された有色色材層のみからなる第２の検証画像とが対となって記録媒体上に形成された検証チャートの画像データを生成するデータ作成工程を含み、前記第２の検証画像における前記所定の色は、前記第１の検証画像における前記所定の色と略等色な色である画像処理方法を提供する。
【００２１】
本発明は、コンピュータを、上記に記載の画像処理装置として機能させるためのプログラムを提供する。
【発明の効果】
【００２２】
本発明によれば、観察角度等を計測する専用の測定機器を使用することなく、観察対象の印刷物に対して観察角度が適しているかの、観察角度の検証を容易に判定できる。
【図面の簡単な説明】
【００２３】
【図１】従来の観察位置の一般的な調整方法を示す説明図。
【図２】検証チャート上に配置された１対の検証画像の構成を示す平面図。
【図３】検証チャート上に配置された複数対の検証画像の構成を示す平面図。
【図４】実施例１に係る画像処理装置の構成例を示すブロック図。
【図５】実施例１に係る検証チャート上に検証画像の印刷データを作成する処理を示すフローチャート。
【図６】印刷関連情報であるクリアインク記録情報のＬＵＴの構成例を示す説明図。
【図７】印刷関連情報であるカラー色分解ＬＵＴの構成例を示す説明図。
【図８】実施例２に係る画像処理装置構成例を示すブロック図。
【図９】実施例２に係る検証チャート上に検証画像の印刷データを作成する処理を示すフローチャート。
【図１０】実施例３に係る複数個の検証画像を備えた検証チャートの構成例を示す平面図。
【図１１】実施例３に係る検証チャートを用いて観察角度を調整する処理を示すフローチャート。
【発明を実施するための形態】
【００２４】
以下、各実施例について説明する。
【実施例１】
【００２５】
最初に、本実施例で作成される観察角度を検証するためのチャート（以下、検証チャート）について、図２〜図３に基づいて説明する。
【００２６】
図２は、検証チャートの一例を示す図である。検証チャート２０１上には、第１の検証画像としての光沢パッチ２０２と、第２の検証画像としての拡散パッチ２０３の、２種類の矩形のパッチが存在している。なお、パッチの形状は任意であり、矩形である必要はない。
【００２７】
光沢パッチ２０２は、所定のカラーの色材からなる有色色材層と、該有色色材層の上に形成された所定の無色の色材からなる無色色材層とから構成され、観察角度によって色が変化して見えるという特徴を有する。本実施例では、カラーの色材としてＣＭＹＫのカラーインク、無色の色材としてクリアインクを使用するものとする。なお、カラー色材の色について特に制限はなく、黒色や暗色としてもよい。また、有色色材層を有さずに、無色色材層のみの構成でも良い。また、クリアインクは、着色剤を含まず、多少含んだとしても人間の目に色として知覚できない実質的に無色透明なインクである。無色色材層は、所定の観察角度（θ）において光沢パッチ２０２が特定の色と見えるように作用する干渉発生層として機能する。
【００２８】
拡散パッチ２０３は、上述の干渉発生層を有さず、カラーインクのみで構成され、観察角度によって色が略変化しないという特徴を有する。すなわち、拡散パッチ２０３は、光沢パッチ２０２の所定の観察角度における特定の色と略等色となって発色するように、カラーインクで形成される。
【００２９】
なお、検証チャートは、図２で示したような光沢パッチと拡散パッチのみから成る専用のチャートである必要はない。例えば、別の画像が印刷された記録媒体上の端部等の一部分に光沢パッチと拡散パッチを印刷してもよい。さらには、光沢の色が制御された一般印刷物（自然画、イラスト等）上に含まれる干渉発生層を有する画像領域を光沢パッチの代替とし、拡散パッチはその端部等に印刷して、検証チャートとすることも可能である。
【００３０】
＜複数対のパッチで構成される検証チャート＞
図３は、複数組のパッチが形成された検証チャートの一例を示す図である。
【００３１】
図３に示すチャート２０１において、光沢パッチ２０２ａと拡散パッチ２０３ａとで１対を構成する。同様に、光沢パッチ２０２ｂと拡散パッチ２０３ｂとで１対、光沢パッチ２０２ｃと拡散パッチ２０３ｃとで１対、光沢パッチ２０２ｄと拡散パッチ２０３ｄとで１対、をそれぞれ構成する。検証チャート２０１上には、計４組の検証画像が作成されている。
【００３２】
検証チャート２０１において、光沢パッチ２０２ａ〜２０２ｄは、無色色材層の厚さがそれぞれ異なっている。すなわち、各対でクリアインクの量（色材条件）が少しずつ異なるように調整されている。クリアインクの量を変えることによって無色色材層（干渉発生層）の厚みが変化し、これにより徐々に光沢色の色相は変化するため、観察角度θによって観察される色を変えることができる。例えば、光沢パッチ２０２ａのクリアインクの量が最も多く、光沢パッチ２０２ａのクリアインクの量が最も少なくなるように、クリアインクの量を調整する。この場合において、クリアインクの量を多くして無色色材層を厚くしていくと、ベースとなる下地層の色から、Ｌａｂ色空間におけるａ軸−ｂ軸の平面上において、時計回りに色は変化することになる。
【００３３】
同様に、検証チャート２０１において、拡散パッチ２０３ａ〜２０３ｄの色はそれぞれ異なり、対になっている光沢パッチ２０２ａ〜２０２ｄのそれぞれで期待される色と略等色な色となるように調整される。例えば、所定の観察角度θにおいて、光沢パッチ２０２ａが青色に見えるとき、拡散パッチ２０３ａのカラーインク層の青色と略等色に見えるように形成される。ただし、光沢パッチ２０２ａにおいて観察される色は、クリアインク層からの干渉光のみならず、その下地層としてのカラーインク層からの反射光の影響も受ける。この場合、カラーインク層の色が黒色又は暗色に近い場合には、光沢パッチ２０２ａにおいて観察される色は、ほとんど干渉光の色に近くなる。しかし、カラーインク層の色が黒色又は暗色以外の色の場合には、光沢パッチ２０２ａにおいて観察される色は、干渉光の色のみならず、カラーインク層からの反射光の色の影響も受ける。例えば、光沢パッチ２０２ａの下地層であるカラーインク層がマゼンタ色のとき、光沢パッチ２０２ａにおいて観察される色は、干渉光の色のみではなく、そのカラーインク層のマゼンタ色の影響を受けた色となる。
【００３４】
このように光沢パッチ２０２と拡散パッチ２０３とからなる１対の構成を、複数対設けることにより、複数の光沢色に対して同時に角度の検証を行うことが可能な検証チャートを作成できる。
【００３５】
＜干渉光の発生メカニズム＞
次に、干渉光を発生させる周知の原理について説明する。記録媒体上にカラーインク層とクリアインク層とが形成され、形成された面の法線方向からある角度θだけ傾いた方向（照明方向）から光を照射させると、クリアインク層の表面、および、クリアインク層とカラーインク層との界面で、反射光が正反射方向（視線方向）の反射角度θで出射する。
【００３６】
なお、観察角度は、法線と照明方向とがなす角度、または、法線と観察者の視線方向とがなす角度から決定される。この場合、反射光の光路には、光路差
２ｎｄ・ｃｏｓθ                …        （１）
が生じる。ｎは屈折率、ｄはクリアインク層の膜厚である。
【００３７】
この光路差のため、
位相差＝２π／λ×光路差        …        （２）
より、反射光の位相差は、
２π・２ｎｄ・ｃｏｓθ／λ      …        （３）
となる（λは、光の波長）。
【００３８】
ここで、一方の光線の位相が０である場合、その光線の振幅はｃｏｓ０、つまり１であり、もう一方の光線の振幅はｃｏｓ（４ｎｄ・ｃｏｓθπ／λ）で表される。
【００３９】
反射光の振幅の平均値をとると、
（１／２）・｛１＋ｃｏｓ（４ｎｄ・ｃｏｓθπ／λ）｝      …      （４）
で表される。
【００４０】
反射光強度は振幅の二乗に比例するため、
（１／４）・｛１＋ｃｏｓ（４ｎｄ・ｃｏｓθπ／λ）｝2    …        （５）
で表される。入射光線の振幅を１と仮定しているため、上述した反射光強度を反射率と言い換えることも可能である。
【００４１】
したがって、正反射光の三刺激値ＸＹＺ（ＣＩＥ ＸＹＺ表色系）と、入射角度θとの間には、式（６）の関係が成立する。
【００４２】
【数１】
2016019169.tif 000003
【００４３】
ここで、
【００４４】
【数２】
2016019169.tif 000004
【００４５】
は光源の分光分布である。
【００４６】
【数３】
2016019169.tif 000005
【００４７】
はＣＩＥ  ＸＹＺ表色系の等色関数である。λは波長、ｎはクリアインク層の屈折率、ｄはクリアインク層の膜厚、θは入射角度、積分範囲は可視光の波長範囲（一般的には、３８０ｎｍから７８０ｎｍ）、Ｋは比例定数である。
【００４８】
式（６）からわかるように、入射角度θ（反射角度に等しい）によって、正反射光は異なる色味を発する。
【００４９】
なお、説明を簡単にするため、多重反射の項、カラーインク層内の反射光、屈折率の波長分散から生じる波長選択的な反射に関しては省略したが、これらを考慮しても入射角度によって正反射光は異なる色味を発することはいうまでもない。
【００５０】
以上が、薄膜干渉の発生メカニズムの原理である。ただし、記録装置で再現できる物理構造であれば、薄膜干渉に限定されず、観察角度θによって色が変化する全ての印刷物（記録媒体）を本発明の対象とすることができる。
【００５１】
＜観察角度の検証＞
次に、上述した検証チャートを用いて、観察角度を検証する方法について説明する。
【００５２】
まず、記録媒体上に対のパッチとして光沢パッチ２０２（第１の検証画像）と拡散パッチ２０３（第２の検証画像）とが印刷された検証チャート２０１を出力する。前述のとおり、検証チャート２０１上の光沢パッチ２０２と拡散パッチ２０３とは、所望の観察角度θにおいて略等色となって発色するように作成される。
【００５３】
そして、展示物を作成した観察環境において、展示物の作者は、出力した検証チャート２０１を観察して、光沢パッチ２０２と拡散パッチ２０３とが略等色に発色することを確認する。
【００５４】
展示物を作成した観察環境において光沢パッチ２０２と拡散パッチ２０３とが略等色に発色することを確認すると、次に、展示物を展示する展示会場において、検証チャート２０１を観察角度を変えて観察する。そして、どのような観察角度であれば光沢パッチ２０２と拡散パッチ２０３とが略等色で発色するのかを判断する。
【００５５】
以上が、本実施例で作成される検証チャートを用いた観察角度の検証方法である。双方のパッチが略等色に見えるように検証チャートの観察角度を変更するだけでよいので、光沢が想定通りの色に発色して観察される環境であるか否かの検証を作者以外の人でも容易に行うことができる。
【００５６】
＜略等色＞
次に、拡散パッチ２０３（第２の検証画像）で観察される色が、光沢パッチ２０２（第１の検証画像）での所定の観察角度で観察される色と略等色であることについて説明する。
【００５７】
略等色とは、光沢パッチ２０２からの干渉色と拡散パッチ２０３からの発光色との色差ΔＥが、Ｌａｂ色空間において、
色差ΔＥ ＜３．２        …      （７）
となる観察角度θが存在することとして定義することができる。
【００５８】
また、略等色は、Ｌａｂ色空間において、
光沢パッチ２０２の色信号の、ａ＊信号をａ１、ｂ＊信号をｂ１とする。
【００５９】
拡散パッチ２０３の色信号の、ａ＊信号をａ２、ｂ＊信号をｂ２とする。
【００６０】
ａ１とａ２との色差をΔａ＊と、ｂ１とｂ２との色差をΔｂ＊とすると、
√（Δａ＊×Δａ＊  ＋  Δｂ＊×Δｂ＊） < ３．２          …  （８）
となるように設定することができる。
【００６１】
この色差ΔＥ＜３．２の範囲内では、人間の目による観察では、対のパッチ間で観察される色の差、すなわち、光沢パッチ２０２からの反射光（正反射光）の色と拡散パッチ２０３からの反射光（拡散光）の色との差をほとんど識別することができなくなる。これにより、対のパッチは略等色に観察されることになる。
【００６２】
次に、上述した検証チャートを作成するための画像処理装置について説明する。
【００６３】
＜画像処理装置＞
本実施例に係る画像処理装置について、図４〜図７を参照して説明する。図４は、画像処理装置を含む画像形成装置の構成の一例を示す図である。図４に示す画像形成装置は、画像処理装置としてのホスト装置４００と、記録装置５００とから構成される。
【００６４】
ホスト装置４００は、例えばパーソナルコンピュータ（ＰＣ）であり、所定の入力条件を入力する入力部４１０と、画像処理部４２０とで構成される。
【００６５】
入力部４１０は、観察条件入力部４１１、クリア条件入力部４１２、ベース色入力部４１３とからなる。
【００６６】
観察条件入力部４１１は、ユーザ（印刷物を作成して展示する者等）によって指定された、想定する観察環境の観察角度（観察角度情報）の入力を受け付ける。
【００６７】
クリア条件入力部４１２は、ユーザによって指定された、光沢パッチ２０２におけるクリアインク層を形成するための条件（以下、クリア条件）の入力を受け付ける。クリア条件とは、干渉発生層としてのクリアインク層の形成に必要なクリアインクの色材量等を指定した情報をいう。例えば、クリアインクの量を０％、１０％、…、１００％とした１１個のクリア条件を指定すれば、１１種類の光沢パッチ２０２の色が検証可能なチャートを得ることができる。
【００６８】
ベース色入力部４１３は、ユーザによって指定された、光沢パッチの下地層を形成するためのベースとなる色（以下、ベース色）の入力を受け付ける。
【００６９】
次に、画像処理部４２０について説明する。ホスト装置４００のオペレーティングシステムで動作するプログラムとして、アプリケーションやプリンタドライバがある。本実施例ではプリンタドライバが画像処理部４２０として機能し、プリンタ（記録装置５００）で印刷するための画像データの作成と、プリンタに対する印刷指示の処理を実行する。
【００７０】
画像処理部４２０は、カラーインク用階調データを生成する処理と、クリアインク用階調データを生成する処理とを行なって、上述した検証チャートの印刷データを作成する。画像処理部４２０は、発色情報取得部４２１と、カラー色分解処理部４２２と、ガンマ（γ）補正処理部４２３と、カラーＨＴ処理部４２４と、クリアＨＴ処理部４２５と、印刷データ作成部４２６とから構成される。
【００７１】
発色情報取得部４２１には、観察条件入力部４１１、クリア条件入力部４１２、ベース色入力部４１３でそれぞれ指定された情報が入力される。発色情報取得部４２１は、これら入力された情報を基に、後述する図６に示すクリアインク記録情報４３１を参照して、拡散パッチのＣＭＹＫデータを生成するための発色情報を取得する。
【００７２】
カラー色分解処理部４２２は、発色情報取得部４２１で取得された発色情報に基づき、当該発色情報が表す色を再現するインクの組み合わせに対応した色分解データ（インク値：ＣＭＹＫ値）を求める処理を行う。
【００７３】
γ補正処理部４２３は、色分解データ等におけるＣＭＹＫの色毎に、記録装置５００の出力特性に応じた階調値に補正する処理を行う。
【００７４】
カラーＨＴ処理部４２４は、ガンマ補正処理がなされたＣＭＹＫ画像データ（例えば８ビット）の色版毎に、記録装置５００が表現可能な階調数への変換（量子化）を行う。この量子化によって、拡散パッチ用および光沢パッチの下地層用のカラーインクのハーフトーン画像データ（例えば２ビット）を生成する処理を行う。生成された拡散パッチ用および光沢パッチの下地層用のカラーインクのハーフトーン画像データは、印刷データ作成部４２６に送られる。
【００７５】
クリアＨＴ処理部４２５は、入力されたクリア条件（例えば８ビット）に基づいて、記録装置５００が表現可能な階調数への変換（量子化）を行って、クリアインク用のハーフトーン画像データ（例えば２ビット）を生成する処理を行う。生成されたクリアインク用ハーフトーン画像データは、印刷データ作成部４２６に送られる。
【００７６】
印刷データ作成部４２６は、カラーＨＴ処理部４２４からの拡散パッチ用および光沢パッチの下地層用のカラーインクのハーフトーン画像データと、クリアＨＴ処理部４２５からの光沢パッチ用のクリアインクのハーフトーン画像データとを受け取る。そして、印刷データ作成部４２６は、カラーインクのハーフトーン画像データとクリアインクのハーフトーン画像データとを合成して、印刷データを作成する。印刷データにおいて、光沢パッチ２０２に対応するデータには、クリアインク層を形成するためのクリアインク用ハーフトーン画像データ、及び下地層であるカラーインク層を形成するためのカラーインク用ハーフトーン画像データを含む。また、拡散パッチ２０３に対応するデータには、カラーインク層を形成するためのカラーインク用ハーフトーン画像データを含む。作成された印刷データは、記録装置５００に送られる。
【００７７】
また、画像処理部４２０は、発色情報取得部４２１で参照されるクリアインク記録情報４３１と、カラー色分解処理部４２２で参照されるカラー色分解ＬＵＴ４３２とを有している。以下、それぞれ説明する。
【００７８】
図６は、クリアインク記録情報４３１をＬＵＴで構成した場合の一例を示す図である。図６の（ａ）及び（ｂ）に示すＬＵＴは、入力値としての「観察角度（度）」及び「クリア条件（クリア入力信号値（ＣＬ））」と、出力値としての「発色情報」とが対応付けられて構成される。なお、図６のＬＵＴは、ベースの色ごとに作成される。すなわち、ＬＵＴにおける、「観察角度」、「クリア条件」、「発色情報」の対応関係は、拡散パッチ又は光沢パッチの下地層を作成するために、ベース色入力部４１３から入力されるベースの色ごとに存在する。図６（ａ）は、観察角度として「２０度」が入力された場合に参照されるＬＵＴであり、図６（ｂ）は、観察角度として「４５度」が入力された場合に参照されるＬＵＴである。
【００７９】
「クリア条件」としてのクリア入力信号値（ＣＬ）は、クリア条件入力部４１２からユーザによって指定される値に対応している。この例では、クリア入力信号値（ＣＬ）は、８ビット（０〜２５５）で表されている。例えば、ＣＬ＝０のとき、クリアインクは吐出されない。ＣＬ＝２５５のとき、クリアインクは上限の量で吐出される。
【００８０】
「発色情報」は、所定のクリア入力信号値（ＣＬ）に従って干渉発生層が形成された画像を、所定の観察角度で見たときの発色情報を示している。この発色情報は、例えばＬａｂ色空間で表される。もちろん他の色空間で表してもよいし、分光放射輝度等で表してもよい。発色情報の値は、実際の光沢パッチを計測して得られた値を用いるのが好ましいが、式（６）等の予測式によって計算された値を用いてもよい。
【００８１】
なお、光沢パッチ２０２の発色は、クリア入力信号値（ＣＬ）のみで変化するわけではなく、マルチパス印字におけるパス数、印字されるクリアインクのドットパターンの分散性、下地層となるカラーインク層の色等の種々の条件によっても変化する。従って、「クリア条件」としては、マルチパス印字におけるパス数、印字されるクリアインクのドットパターンの分散性、下地層となるカラーインク層の色等を組み合わせた条件としてもよい。
【００８２】
このようにして、様々な観察角度に対応する複数のＬＵＴが予め作成され、クリアインク記録情報としてＨＤＤ等に格納される。
【００８３】
図７は、拡散パッチを作成するための、カラー色分解ＬＵＴの一例を示す図である。図７のＬＵＴは、入力値としての「発色情報」と、出力値としてのインク値（ＣＭＹＫ値）とから構成され、各Ｌａｂ値に対応するＣＭＹＫ値が格納されている。クリアインク記録情報４３１とカラー色分解ＬＵＴ４３２とは、個別に設けてもよいし、同一のファイルに格納されていてもよい。
【００８４】
なお、ここでは、画像処理部４２０としてのプリンタドライバにおける処理を印刷データ作成部４２６までとして構成している。しかし、プリンタドライバにおける処理と、記録装置５００における処理との境界は特に限定されるものではない。
【００８５】
＜記録装置＞
記録装置５００は、ヘッド駆動回路５０１と、記録ヘッド５０２とから構成される。本実施例では、記録装置５００を、インクジェット記録方式のプリンタとして説明を行っている。記録装置５００は、シアン（Ｃ）、マゼンタ（Ｍ）、イエロー（Ｙ）、ブラック（Ｋ）の基本色インク４種と、クリアインク（ＣＬ）とによって印刷を行う。
【００８６】
＜検証チャートの作成方法＞
次に、本実施例に係る画像処理装置を用いて、検証チャートを作成する方法について説明する。図５は、検証チャート作成処理の流れを示したフローチャートである。
【００８７】
ステップＳ６０１において、入力部４１０は、各種条件の入力を受け付ける。すなわち、観察条件として観察角度等、クリア条件としてクリアインクの色材量等、さらに必要に応じてベース色の情報が入力される。
【００８８】
ステップＳ６０２において、発色情報取得部４２１は、発色情報を取得する。具体的には、観察条件入力部４１１、クリア条件入力部４１２、ベース入力部４１３に入力された情報を基に、上述の図６で示したようなＬＵＴ（クリアインク記録情報データ４３１）を参照して、入力値に対応する発色情報（Ｌａｂ値）を取得する。また、例えば、ユーザから入力された観察条件やクリア条件に対応するＬａｂ値がない場合には、一般的な補間方法を用いて、入力された条件に相当する発色情報を算出してもよい。
【００８９】
ステップＳ６０３において、カラー色分解処理部４２２は、取得した発色情報に基づいて、拡散パッチを形成するためのカラー色分解データ（ＣＭＹＫデータ）を求める。具体的には、上述のカラー色分解ＬＵＴ４３２を参照して、発色情報が表す色（Ｌａｂ値）を再現するインクの組み合わせに対応したＣＭＹＫデータを生成する。この場合において、入力された発色情報（Ｌａｂ値）に直接対応するＣＭＹＫ値が色分解ＬＵＴ４３２に存在しないときには、補間演算を併用すればよい。
【００９０】
ステップＳ６０４において、γ補正処理部４２３は、ステップＳ６０３で生成されたＣＭＹＫデータに対し、記録装置５００の出力特性に合わせるための階調変換処理を行う。具体的には、記録装置５００のＣＭＹＫ各色の階調特性に応じた１次元ＬＵＴを用いて、入力されたＣＭＹＫデータが記録装置５００の階調特性に線形的に対応づけられるように補正する。さらに、ステップＳ６０１でベース色（ＣＭＹＫ値）が入力されている場合は、当該ＣＭＹＫ値に対し、同様の階調変換処理を行う。
【００９１】
ステップＳ６０５において、カラーＨＴ処理部４２４は、拡散パッチ用のハーフトーン画像データを作成する。具体的には、色分解データ（ＣＭＹＫデータ）のＣＭＹＫそれぞれについて、例えば一般的によく知られた誤差拡散法やディザ法を用いて、ハーフトーン画像データを作成する。すなわち、８ビット等で表されたＣＭＹＫデータが記録装置５００で直接表現可能な階調数に変換され、記録ヘッド５０２が形成するドット配置パターンが決定される。こうして、拡散パッチを形成するためのカラーインク用ハーフトーン画像データが作成される。作成されたハーフトーン画像データは、印刷データ作成部４２６に送られる。
【００９２】
ステップＳ６０６において、クリアＨＴ処理部４２５は、光沢パッチにおける干渉発生層のためのハーフトーン画像データを作成する。すなわち、干渉発生層のためのハーフトーン画像データとして、入力されたクリア条件に従ったクリアインク用記録ヘッドが形成するドット配置パターンが決定される。
【００９３】
また、ステップＳ６０１でベース色の入力があった場合は、カラーＨＴ処理部４２４において、光沢パッチにおける下地層のためのハーフトーン画像データが作成される。すなわち、下地層のためのハーフトーン画像データとして、入力されたベース色の情報に従った、カラーインク用記録ヘッドが形成するドット配置パターンが決定される。
【００９４】
ステップＳ６０７において、印刷データ作成部４２６は、ステップ６０５で作成された拡散パッチのハーフトーン画像データと、ステップ６０６で作成された光沢パッチのハーフトーン画像データを合成して印刷データを作成する。そして、作成した印刷データを、記録装置５００に送信する。記録装置５００は、ホスト装置４００から受信した印刷データに基づいて、記録媒体上に、光沢パッチ２０２と拡散パッチ２０３とを印刷する。
【００９５】
こうして、観察される光の色が観察角度によって変化する光沢パッチと、観察される光の色が観察角度によって変化しない拡散パッチとが対になったチャートが出来上がる。
【００９６】
以上が、検証チャートを作成する処理の流れである。このような手法により、例えば、光沢パッチのクリアインクの量を、０％、１０％、…、１００％といったように段階的に濃度を調整した複数のパッチ対が形成されたチャートを用意する。干渉発生層の厚みの変化に応じて光沢色の色相も徐々に変化するため、光沢パッチの全色相について検証可能なチャートを得ることができる。このようにして作成された検証チャートは、表現できる光沢色の全色域を満遍なく検証する場合などに適している。
【００９７】
なお、記録媒体の色や、記録媒体上の下地層であるカラーインクの色については特に制限はなく、黒色或いは暗色としてもよい。カラーインクを黒色或いは暗色とした場合、記録媒体やカラーインクから反射する光の強度が弱くなり、光沢パッチ２０２の色が干渉光のみの色に近くなる。その結果、光沢パッチ２０２と拡散パッチ２０３との色の比較が容易になる効果がある。
【００９８】
また、本実施例は、インクジェット方式以外の他の方式に従って記録を行う記録装置（例えば熱転写方式や電子写真方式）に対しても適用できる。
【００９９】
以上のとおり本実施例によれば、印刷物が想定通りの色に観察される観察角度であるか否かの観察角度の検証を、容易に行うことが可能なチャートを得ることができる。
【実施例２】
【０１００】
次に、実施例２を、図８および図９を参照して説明する。なお、実施例１と同一部分についての説明は省略し、その同一部分については同一符号を付す。
【０１０１】
図８は、本実施例にかかる画像処理装置を備えた画像形成装置の構成例を示す。本実施例では、入力部４１０において、クリア条件入力部４１２に代わって、光沢パッチ２０２の発色情報を入力する発色情報入力部４１５を設けている。すなわち、本実施例における入力部４１０は、観察条件入力部４１２、ベース色入力部４１３、発色情報入力部４１５で構成される。
【０１０２】
発色情報入力部４１５は、ユーザによって指定された光沢パッチ２０２の発色情報の入力を受け付ける。本実施例では、発色情報は、Ｌａｂ値で指定される。
【０１０３】
観察条件入力部４１２は、ユーザによって指定された想定する観察環境の観察角度の入力を受け付ける。
【０１０４】
ベース色入力部４１３は、必要に応じてユーザによって指定された光沢パッチの下地層を形成するためのベースとなる色の入力を受け付ける。
【０１０５】
次に、本実施例に係る画像処理部４２０について説明する。本実施例における画像処理部４２０は、クリア条件取得部４４０を有している。すなわち、本実施例における画像処理部４２０は、カラー色分解処理部４２２、ガンマ補正（γ）処理部４２３、カラーＨＴ処理部４２４、クリア条件取得部４４０、クリアＨＴ処理部４２５、印刷データ作成部４２６で構成される。
【０１０６】
クリア条件取得部４４０は、観察条件入力部４１２、ベース色入力部４１３、発色情報入力部４１５でそれぞれ指定された情報が入力される。クリア条件取得部４４０は、これら入力された情報を基に、前述した実施例１の図６に示したクリアインク記録情報４３１を参照して、光沢パッチのクリアインクデータを生成するためのクリア条件を取得する。
【０１０７】
他の構成要素については、実施例１と同じであるので説明を省く。
【０１０８】
＜検証チャートの作成方法＞
次に、本実施例に係る画像処理装置４２０における、検証チャート作成処理について説明する。図９は、本実施例に係る検証チャート作成処理の流れを示したフローチャートである。
【０１０９】
ステップＳ９０１において、入力部４１０は、各種条件の入力を受け付ける。すなわち、観察条件として観察角度等、光沢パッチの発色に関連する発色情報等、さらに必要に応じてベース色の情報が入力される。
【０１１０】
ステップＳ９０２において、カラー色分解処理部４２２は、入力された発色情報に基づいて、拡散パッチを形成するためのカラー色分解データ（ＣＭＹＫデータ）を求める。具体的には、前述した実施例１の図７に示したカラー色分解ＬＵＴ４３２を参照して、発色情報が表す色（Ｌａｂ値）を再現するインクの組み合わせに対応したＣＭＹＫデータを生成する。この場合において、入力された発色情報（Ｌａｂ値）に直接対応するＣＭＹＫ値が色分解ＬＵＴ４３２に存在しないときには、補間演算を併用すればよい。
【０１１１】
ステップＳ９０３において、γ補正処理部４２３は、ステップＳ９０２で生成されたＣＭＹＫデータに対し、記録装置５００の出力特性に合わせるための階調変換処理を行う。具体的には、記録装置５００のＣＭＹＫ各色の階調特性に応じた１次元ＬＵＴを用いて、入力されたＣＭＹＫデータが記録装置５００の階調特性に線形的に対応づけられるように補正する。さらに、ステップＳ９０１でベース色（ＣＭＹＫ値）が入力されている場合は、当該ＣＭＹＫ値に対し、同様の階調変換処理を行う。
【０１１２】
ステップＳ９０４において、カラーＨＴ処理部４２４は、カラーＨＴ処理部４２４は、拡散パッチ用のハーフトーン画像データを作成する。具体的には、色分解データ（ＣＭＹＫデータ）のＣＭＹＫそれぞれについて、例えば一般的によく知られた誤差拡散法やディザ法を用いて、ハーフトーン画像データを作成する。すなわち、８ビット等で表されたＣＭＹＫデータが記録装置５００で直接表現可能な階調数に変換され、記録ヘッド５０２が形成するドット配置パターンが決定される。こうして、拡散パッチを形成するためのカラーインク用ハーフトーン画像データが作成される。作成されたハーフトーン画像データは、印刷データ作成部４２６に送られる。
【０１１３】
ステップＳ９０５において、クリア条件取得部４４０は、発光パッチのクリア条件を取得する。具体的には、観察条件入力部４１２、ベース色入力部４１３、発色情報入力部４１５に入力された情報を基に、前述した実施例１の図６に示したようなＬＵＴ（クリアインク記録情報データ４３１）を参照して、入力値に対応するクリア条件を取得する。また、例えば、ユーザから入力された観察条件や発色情報に対応するクリア条件がない場合には、一般的な補間方法を用いて、入力された条件に相当するクリア条件を算出してもよい。
【０１１４】
なお、図６のＬＵＴは、前述した実施例１と同様に、ベースの色ごとに作成される。
【０１１５】
ステップＳ９０６において、クリアＨＴ処理部４２５は、光沢パッチにおける干渉発生層のためのハーフトーン画像データを作成する。すなわち、干渉発生層のためのハーフトーン画像データとして、取得されたクリア条件に従ったクリアインク用記録ヘッドが形成するドット配置パターンが決定される。また、ステップＳ９０１でベース色の入力があった場合は、カラーＨＴ処理部４２４において、光沢パッチにおける下地層のためのハーフトーン画像データが作成される。すなわち、下地層のためのハーフトーン画像データとして、入力されたベース色の情報に従った、カラーインク用記録ヘッドが形成するドット配置パターンが決定される。
【０１１６】
ステップＳ９０７において、印刷データ作成部４２６は、ステップ９０４で作成された拡散パッチのハーフトーン画像データと、ステップ９０６で作成された光沢パッチのハーフトーン画像データとを合成して印刷データを作成する。そして、作成した印刷データを、記録装置５００に送信する。記録装置５００は、受信した印刷データに基づいて、記録媒体上に、光沢パッチ２０２と拡散パッチ２０３とを印刷する。こうして、観察される光の色が観察角度によって変化する光沢パッチと、観察される光の色が観察角度によって変化しない拡散パッチとが対になったチャートが作成される。
【０１１７】
上述したように本実施例では、発色情報を指定して検証チャートを作成するため、特定の光沢色の検証に特化した検証チャートを作成することができる。
【実施例３】
【０１１８】
次に、実施例３を、図１０および図１１を参照して説明する。なお、前述した各実施例１，２と同一部分についての説明は省略し、その同一部分については同一符号を付す。実施例１、実施例２では、検証チャート上の１対のパッチ（光沢パッチ２０２と拡散パッチ２０３）の色を比較して、印刷物の見え方を検証することになる。
【０１１９】
しかし、一対のパッチのみで構成される検証チャート２０１では、観察角度が不適切である場合に観察角度をどちらの方向に変更すれば適切になるのかの判断が難しい。そこで、本実施例において作成される検証チャートでは、検証チャート上に異なる観察条件に対応する複数の拡散パッチ２０３を設けて、観察角度を大きくすればよいか、小さくすればよいかが容易に判断できるようにする。
【０１２０】
図１０は、本実施例における検証チャートの一例を示す図である。検証チャート１００１上には、１個の光沢パッチ１００２と３個の拡散パッチ１００３〜１００５が存在している。光沢パッチ１００２は、観察角度によって色が変化する、所定の観察角度（例えば４５°）で特定の色に見える光沢パッチであり、実施例１における光沢パッチ２０２（第１の検証画像）に対応する。拡散パッチ１００３は、上記特定の色と略等色に見える、観察角度によって色が変化しない拡散パッチであって、実施例１における拡散パッチ２０３（第２の検証画像）に対応する。拡散パッチ１００４は、所定の観察角度より大きい観察角度において光沢パッチ１００２と略等色となる拡散パッチ（第２の検証画像）である。拡散パッチ１００５は、所定の観察角度より小さい観察角度において光沢パッチ１００２と略等色となる拡散パッチ（第２の検証画像）である。なお、新たに設けられる拡散パッチ１００４及び１００５の検証チャート１００１上での位置は、特に限定されるものではない。
【０１２１】
次に、本実施例に係る検証チャート作成処理について説明する。検証チャート作成の流れは実施例１と同じであるので、前述の図５のフローチャートに沿って説明する。
【０１２２】
ステップＳ６０１において、入力部４１０で入力を受け付ける。本実施例では、複数個の拡散パッチに対応した観察条件とクリア条件とが入力されることになる。本ステップで入力される観察条件には、印刷物が想定する観察環境の観察角度（第１の観察角度）だけでなく、第１の観察角度よりも大きい第２の観察角度、さらには、第１の観察角度よりも小さい第３の観察角度も含まれる。すなわち、第３の観察角度＜第１の観察角度＜第２の観察角度の関係となる。例えば、想定する観察環境の観察角度が４５°の場合は、第１の観察角度＝４５°、第２の観察角度＝５５°、第３の観察角度＝３５°といった具合である。そして、必要に応じて、光沢パッチの下地層を形成するためのベースの色も入力される。
【０１２３】
ステップＳ６０２において、発色情報取得部４２１は、入力されたクリア条件に基づいて、第１の観察角度、第２の観察角度、第３の観察角度のそれぞれに対応する発色情報を、クリアインク記録情報４３１から取得する。
【０１２４】
ステップＳ６０３〜ステップＳ６０５において、第１〜第３の観察角度にそれぞれ対応する発色情報毎に、一連の画像処理（カラー色分解処理、階調変換処理、ハーフトーン画像データ作成処理）が実行される。。これにより、第１〜第３の観察角度の各発色情報に対応する３つの拡散パッチ１００３〜１００５のハーフトーン画像データが作成される。
【０１２５】
ステップＳ６０７において、印刷データ作成部４２６は、ステップ６０５で作成された拡散パッチのハーフトーン画像データと、ステップ６０６で作成された３つの拡散パッチ１００３〜１００５のハーフトーン画像データとに基づき、印刷データを作成する。
【０１２６】
このようにして、１つの光沢パッチ１００２と、３つの拡散パッチ１００３〜１００５とを有する検証チャート１００１が作成される。この検証チャートを用いた検証手順は以下のとおりである。  
１）実際の展示会場等において、光沢パッチ１００２と拡散パッチ１００３とが同じ色に見えるかどうかをチェックする。
２）同じ色に見える場合は、光沢パッチ１００２が想定の色に観察される最適な観察角度と判断する。
３）同じ色に見えない場合は、光沢パッチ１００２の色が、拡散パッチ１００４と拡散パッチ１００５のどちらの色により近いかを判断する。
３−１）拡散パッチ１００４の色に近い場合：観察角度は想定より大きいと推認されるため、照明、印刷物、観察者等を動かし、観察角度が小さくなるように調整する。
３−２）拡散パッチ１００５の色に近い場合：観察角度は想定より小さいと推認されるため、照明、印刷物、観察者等を動かし、観察角度が大きくなるように調整する。
４）３）の手順を、光沢パッチ１００２の色と、拡散パッチ１００３の色とが同じ色に見えるまで繰り返す。
【０１２７】
こうして、より容易に観察角度を調整することができる。
【０１２８】
なお、図１０に示した例では、第２の観察角度と第３の観察角度に対応する２つの拡散パッチを追加で設ける例について説明したが、さらに多くの観察角度に対応する拡散パッチを設けてもよい。これにより、さらに精度の良い観察角度の調整が可能となる。
【０１２９】
＜変形例＞
上述したような複数個の拡散パッチを設けるのに代えて、光沢パッチの方を複数個設けてもよい。図１１は、本実施例における検証チャートの構成例を示す。検証チャート１２０１上には、１個の拡散パッチ１２０２と、３個の光沢パッチ１２０３〜１２０５とが存在している。光沢パッチ１２０３は、観察角度によって色が変化する、所定の観察角度（例えば４５°）で特定の色に見える光沢パッチであり、実施例１における光沢パッチ２０２（第１の検証画像）に対応する。拡散パッチ１２０２は、上記特定の色と略等色に見える、観察角度によって色が変化しない拡散パッチであって、実施例１における拡散パッチ２０３（第２の検証画像）に対応する。光沢パッチ１２０４は、所定の観察角度より大きい観察角度（例えば５５°）において拡散パッチ１２０２と略等色となる光沢パッチ（第１の検証画像）である。光沢パッチ１２０５は、所定の観察角度より小さい観察角度（例えば３５°）において拡散パッチ１２０２と略等色となる光沢パッチ（第１の検証画像）である。
【０１３０】
こうして作成された検証チャートを用いることでも、より容易に観察角度を調整することができる。
【０１３１】
（その他の実施例）
また、本発明は、以下の処理を実行することによっても実現される。即ち、前述した実施形態の機能を実現するソフトウェア（プログラム）を、ネットワーク又は各種記憶媒体を介してシステム或いは装置に供給し、そのシステムあるいは装置のコンピュータ（またはＣＰＵやＭＰＵ等）がプログラムを読み出して実行する処理である。なお、この場合のプログラムとは、実施形態において図に示したフローチャートに対応したプログラムである。
【図１】
2016019169.tif 000006
【図２】
2016019169.tif 000007
【図３】
2016019169.tif 000008
【図４】
2016019169.tif 000009
【図５】
2016019169.tif 000010
【図６】
2016019169.tif 000011
【図７】
2016019169.tif 000012
【図８】
2016019169.tif 000013
【図９】
2016019169.tif 000014
【図１０】
2016019169.tif 000015
【図１１】
2016019169.tif 000016